(57)【要約】【課題】意匠性に優れ、組立時や使用時に怪我をすることなく安全であると共に生産性に優れる枠組みとするための、ガラス板の周縁に挿着されるアルミニウム押出形材からなる縦枠材と横枠材とを接合するコーナー部接続部材およびこれを用いたコーナー部接続構造を提供することである。【解決手段】平面視矩形状の直方体からなり、該直方体の平面視矩形状の一つの角部に平面視矩形状の切欠部と、前記切欠部と対向する角部に前記切欠部の反対方向に突出する平面視円弧状曲線を有する中心角が略９０度の平面視略扇形状の棒状突出部とを備えたことを特徴とするコーナー部接続部材。【選択図】　　　　図１
2004124553.tif 000002
【特許請求の範囲】
【請求項１】
平面視矩形状の直方体からなり、該直方体の平面視矩形状の一つの角部に平面視矩形状の切欠部と、前記切欠部と対向する角部に前記切欠部の反対方向に突出する平面視円弧状曲線を有する中心角が略９０度の平面視略扇形状の棒状突出部とを備えたことを特徴とするコーナー部接続部材。
【請求項２】
矩形状枠体のコーナー部接続構造であって、枠体は請求項１記載のコーナー部接続部材と、長手方向に貫通する係入用中空部を有する略直方体形状のアルミニウム押出形材の両端部を一部端辺を残して前記端辺に対して略４５度の角度で切断した切断辺を有する平面視略台形状の縦枠材および横枠材とで構成され、平面視略台形状の前記縦枠材と前記横枠材との前記端辺と前記コーナー部接続部材の平面視略扇形状の中心角を挟む２辺とが当接するように前記縦枠材と前記横枠材とに設けられた前記係入用中空部に前記コーナー部接続部材を係入すると共に前記縦枠材と前記横枠材の切断辺同士を突合せしてなることを特徴とする枠体のコーナー部接続構造。
【発明の詳細な説明】
【０００１】
【発明の属する技術分野】
本発明は、ドアや収納扉等の周縁に用いられる枠体のコーナー部接続部材およびこれを用いた枠体のコーナー部接続構造に関し、さらに詳しくは、ガラス板や木製、アルミニウム製等の加飾板等の周縁に挿着されるアルミニウム押出形材からなる縦枠材と横枠材とを接合するコーナー部接続部材およびこれを用いた枠体のコーナー部接続構造に関するものである。
【０００２】
【従来の技術】
従来、意匠性において優れるなどの理由から両端部を略４５度の角度で切断したアルミニウム押出形材からなる縦枠材と横枠材とを切断面同士を接合してビス等の固定手段で固定した矩形状枠体が窓や引戸等の種々の用途に用いられている。しかしながら、このような枠材は、角部が鋭角であるために組立時や使用時にこの鋭角な角部で怪我をする虞があり、一般的には角部を研磨仕上げしたものが用いられているが、研磨加工をする分だけコストアップになるといった問題や研磨加工に時間を要する分だけ生産性が悪いといった問題を抱えていた。
【０００３】
そこで、上記問題を解決するものとして、アルミニウム押出形材からなる縦枠材と横枠材との角部に高分子体を挿着して矩形状枠体とする提案がなされている（たとえば、特許文献１参照）。
【０００４】
確かに、特許文献１は、アルミニウム押出形材からなる縦枠材と横枠材との角部が縦・横枠材に対して直角に切断し、これを角部で高分子体を介して連結したものであり、組立時や使用時に怪我をすることなく安全であると共に研磨仕上げも不要であり、安全性や生産性の点で優れるものであるが、角部に高分子体が露出し、上記した略４５度の角度で接合された矩形状枠体と比べると意匠面においては不満の残りものであった。
【０００５】
【特許文献１】
実用新案登録第３０８１０７５号公報
【０００６】
【発明が解決しようとする課題】
そこで本発明は、意匠性に優れ、組立時や使用時に怪我をすることなく安全であると共に生産性に優れる枠体とするための、アルミニウム押出形材からなる縦枠材と横枠材とを接合するコーナー部接続部材およびこれを用いた枠体のコーナー部接続構造を提供することである。
【０００７】
【課題を解決するための手段】
本発明者は、上記課題を達成するために、請求項１記載の本発明のコーナー部接続部材は、平面視矩形状の直方体からなり、該直方体の平面視矩形状の一つの角部に平面視矩形状の切欠部と、前記切欠部と対向する角部に前記切欠部の反対方向に突出する平面視円弧状曲線を有する中心角が略９０度の平面視略扇形状の棒状突出部とを備えたことを特徴とするものである。
【０００８】
また、請求項２記載の本発明は、矩形状枠体のコーナー部接続構造であって、枠体は請求項１記載のコーナー部接続部材と、長手方向に貫通する係入用中空部を有する略直方体形状のアルミニウム押出形材の両端部を一部端辺を残して前記端辺に対して略４５度の角度で切断した切断辺を有する平面視略台形状の縦枠材および横枠材とで構成され、平面視略台形状の前記縦枠材と前記横枠材との前記端辺と前記コーナー部接続部材の平面視略扇形状の中心角を挟む２辺とが当接するように前記縦枠材と前記横枠材とに設けられた前記係入用中空部に前記コーナー部接続部材を係入すると共に前記縦枠材と前記横枠材の切断辺同士を突合せしてなることを特徴とするものである。
【０００９】
【発明の実施の形態】
上記の本発明について、図面等を用いて以下に詳述する。
図１は本発明にかかるコーナー部接続部材の一実施例を示す斜視図、図２は本発明にかかる枠材の一実施例を示す要部斜視図、図３は本発明にかかるコーナー部接続方法を説明する図、図４は本発明の実施の形態を示すガラス板からなる扉パネルの正面図、図５は図４のＩ−Ｉ線断面図、図６は本発明にかかるコーナー部接続部材の他の実施例を示す斜視図、図７は本発明にかかる枠材の他の実施例を示す要部斜視図であり、図中の１，１’はコーナー部接続部材、２，２’は枠材、３はガラス板、１１は切欠部、１２，１２’は棒状突出部、１３はコーナー部接続部材接合孔、１４はコーナー部接続部材蝶番取付溝、２１，２１’はガラス板挿着溝、２２は係入用中空部、２３は枠材接合孔、２０は縦枠材、２０’は横枠材、Ａは外周面、Ｂは外周面と直交する直交面、Ｃは切断面、αは枠体、βは扉パネルをそれぞれ示す。
【００１０】
図１は本発明にかかるコーナー部接続部材の一実施例を示す斜視図であって、コーナー部接続部材１は、平面視正方形状の直方体からなり、平面視正方形状の一つの角部に平面視正方形状の切欠部１１と、該切欠部１１を設けた角部と対向する角部に前記切欠部１１の反対方向に突出する平面視円弧状曲線を有する中心角が略９０度の平面視略扇形状の棒状突出部１２とを備えたものである。そして、前記棒状突出部１２の長さは、後述する枠材２を接合して枠体α〔図３（ｂ）、図４参照〕とした時の厚さ方向の寸法と略同じ寸法に構成されると共に前記棒状部１２の平面視扇形状の中心角を挟む２辺の寸法は後述する枠材２を接合して枠体α〔図３（ｂ）、図４参照〕とした時の外周面と略面一ないし若干突出する寸法に構成される。なお、前記コーナー部接続部材１には、後述する枠材２とビス等の固定手段で接合するためのコーナー部接続部材接合孔１３（図１上、４個）および蝶番を取付けるためのコーナー部接続部材蝶番取付溝１４（図１上、２個）が設けられている。
【００１１】
前記コーナー部接続部材１の材質としては、枠体α〔図３（ｂ）、図４参照〕の用途、たとえば、窓用、ドア用、収納扉用等の用途により多少異なるものの、一般的には、剛性を有し、耐熱性、耐寒性、耐衝撃性、耐脆弱性、耐摩性等の物性を有するものであればよいのであって、加工性を考慮すると合成樹脂を用いて射出成形法で形成するのが適当であり、上記物性を有する合成樹脂としては、たとえば、ウレタン樹脂、ＡＢＳ樹脂等を挙げることができる。また、前記コーナー部接続部材１は、必要に応じて枠体α〔図３（ｂ）、図４参照〕の色と合致するように着色してもよいものである。
【００１２】
図２は本発明にかかる枠材の一実施例を示す要部斜視図であって、枠材２はその長手方向にガラス板挿着溝２１と前記コーナー部接続部材１を係入する係入用中空部２２とを備えた押出成形法で成形加工された略直方体形状のアルミニウム押出形材を部材とするものであって、前記枠材２を接合して矩形状枠体α〔図３（ｂ）、図４参照〕とした際の外周面（符号Ａで示す）側に外周面Ａと直交する直交面Ｂ（図２上、斜線で表示した個所）を有するように略４５度の角度で両端部（図２上は一方の端部を図示）を切断した切断面Ｃ（図２上、網点で示した個所）を有するものである。このように構成することにより、前記枠材２は両端部に前記外周面Ａと直交する一部に端辺と略４５度の角度で切断した切断辺とを有する平面視略台形状に形成される。そして、前記枠材２の両端部（図２上は一方の端部を図示）には、前記コーナー部接続部材１とビス等の固定手段で接合するための枠材接合孔２３（図２上、２個）が設けられている。前記枠材接合孔２３（図２上、２個）と前記コーナー部接続部材接合孔１３とは、前記枠材２の前記係入用中空部２２に前記コーナー部接続部材１を係入した際に、略一致する位置となるように形成されている。なお、前記枠材２は前記枠材２の両端部間の長さを変えて切断することにより後述する縦枠材２０あるいは横枠材２０’として用いられる。
【００１３】
図３は本発明にかかるコーナー部接続方法を説明する図であって、図３（ａ）は図２に示す前記枠材２（たとえば、縦枠材２０）の係入用中空部２２に前記コーナー部接続部材１を係入した状態を示したものである。図３（ａ）に示すように前記コーナー部接続部材１の棒状突出部１２の平面視扇形状の中心角を挟む２辺の一方の辺を構成する面と前記枠材２（たとえば、縦枠材２０）の図２で示した直交面Ｂ（図２上、斜線で表示した個所）とが当接すると共に前記枠材２（たとえば、縦枠材２０）の前記切断面Ｃの前記直交面Ｂと反対側の端部と前記コーナー部接続部材１の平面視正方形状の切欠部１１の一方の面とが当接する。次に、図３（ａ）で示した状態の前記コーナー部接続部材１に図２に示す前記枠材２（たとえば、横枠材２０’）を同様にして係入することにより図３（ｂ）に示す状態となる。図３（ｂ）に示す状態において、前記コーナー部接続部材１の棒状部１２の長さＸは、枠材２（縦枠材２０、横枠材２０’）を接合して枠体αとした時の厚さ方向の寸法Ｙと略同じ寸法に構成されると共に前記棒状部１２の平面視扇形状の中心角を挟む２辺の寸法Ｚは枠材２（縦枠材２０、横枠材２０’）を接合して枠体αとした時の外周面Ａと略面一ないし若干突出する寸法に構成されている。なお、図示はしないが、前記コーナー部接続部材１と前記枠材２（縦枠材２０、横枠材２０’）とは前記コーナー部接続部材接合孔１３（図１参照）と前記枠材接合孔２３（図２参照）とを介してビス等の固定手段で接合される。
【００１４】
図４は本発明の実施の形態を示すガラス板からなる扉パネルの正面図、図５は図４のＩ−Ｉ線断面図であって、扉パネルβは矩形状ガラス板３の周縁に前記枠材２（縦枠材２０、横枠材２０’）を前記ガラス板挿着溝２１を介して挿着すると共に、前記枠材２（縦枠材２０、横枠材２０’）を前記枠材２（縦枠材２０、横枠材２０’）に設けた係入用中空部２２に前記コーナー部接続部材１を挿入して前記コーナー部接続部材接合孔１３（図１参照）と前記枠材接合孔２３（図２参照）とを介してビス等の固定手段で前記枠材２（縦枠材２０、横枠材２０’）と前記コーナー部接続部材１とを接合することにより得ることができる。なお、図示はしないが、前記ガラス板挿着溝２１には枠材２（縦枠材２０、横枠材２０’）とガラス板とが当接しないように、また、ガラス板をガタツクことなく固定するために略コの字状の樹脂製パッキンが挿設されている。
【００１５】
上記したように前記枠材２（縦枠材２０、横枠材２０’）を前記コーナー部接続部材１を介して接合するコーナー部接続構造を採るために、極めて生産性よく製造することができる。また、扉パネルβのコーナー部は前記枠材２（縦枠材２０、横枠材２０’）が略４５度の角度で前記コーナー部接続部材１を介して接合されると共にコーナー部の外周角部のみに前記コーナー部接続部材１の棒状突出部１２が露出するように構成されるために意匠性に優れたコーナー部とすることができると共に前記棒状突出部１２は、図３（ｂ）で説明したように、その長さＸが枠材２（縦枠材２０、横枠材２０’）を接合して扉パネルβとした時の厚さ方向の寸法Ｙと略同じ寸法に構成されると共に前記棒状部１２の平面視扇形状の中心角を挟む２辺の寸法Ｚは枠材２（縦枠材２０、横枠材２０’）を接合して扉パネルβとした時の前記枠材２（縦枠材２０、横枠材２０’）の外周面Ａと略面一ないし若干突出する寸法に構成されているために組立時や使用時に怪我をすることなく安全である。
【００１６】
なお、前記扉パネルβは、図示はしないが、前記枠材２（縦枠材２０、横枠材２０’）に組込まれた前記コーナー部接続部材１に設けられたコーナー部接続部材蝶番取付溝１４（図１上、２個）を利用して一方の前記枠材２（縦枠材２０）に蝶番を取付けると共に、他方の前記枠材２（縦枠材２０）に把手を取付けることにより収納扉となる。なお、今まで説明してきた実施例では、ガラス板を組込んだ扉パネルで説明してきたが、ガラス板に代えて木製やアルミニウム製の加飾板を用いたものであってもよいものである。
【００１７】
なお、前記コーナー部接続部材１は、実施形態に例示したものに限ることはなく、本発明の趣旨を逸脱しない範疇のものはすべて含まれ、たとえば、図６に示すような平面視矩形状の一つの角部がアール状に形成された平面視略扇形状の棒状突出部１２’を有するコーナー部接続部材１’であってもよいものであり、また、前記枠材２についても実施形態に例示したものに限ることはなく、本発明の趣旨を逸脱しない範疇のものはすべて含まれ、たとえば、図７に示すようなガラス板挿着溝２１’を外周面Ａと対向する内周面に有する枠体２’であってもよいものである。
【００１８】
【発明の効果】
以上縷々説明したように、本発明のコーナー部接続部材およびこれを用いた枠体のコーナー部接続構造は、意匠性に優れ、組立時や使用時に怪我をすることなく安全であると共に生産性に優れるという顕著な効果を奏するものである。
【図面の簡単な説明】
【図１】本発明にかかるコーナー部接続部材の一実施例を示す斜視図である。
【図２】本発明にかかる枠材の一実施例を示す要部斜視図である。
【図３】本発明にかかるコーナー部接続方法を説明する図である。
【図４】本発明の実施の形態を示すガラス板からなる扉パネルの正面図である。
【図５】図４のＩ−Ｉ線断面図である。
【図６】本発明にかかるコーナー部接続部材の他の実施例を示す斜視図である。
【図７】本発明にかかる枠材の他の実施例を示す要部斜視図である。
【符号の説明】
１，１’　　　　　　　　　　　コーナー部接続部材
２，２’　　　　　　　　　　　枠材
３　　　　　　　　　　　　　　ガラス板
１１　　　　　　　　　　　　　切欠部
１２，１２’　　　　　　　　　棒状突出部
１３　　　　　　　　　　　　　コーナー部接続部材接合孔
１４　　　　　　　　　　　　　コーナー部接続部材蝶番取付溝
２１，２１’　　　　　　　　　ガラス板挿着溝
２２　　　　　　　　　　　　　係入用空間
２３　　　　　　　　　　　　　枠材接合孔
２０　　　　　　　　　　　　　縦枠材
２０’　　　　　　　　　　　　横枠材
Ａ　　　　　　　　　　　　　　外周面
Ｂ　　　　　　　　　　　　　　外周面と直交する直交面
Ｃ　　　　　　　　　　　　　　切断面
α　　　　　　　　　　　　　　枠体
β　　　　　　　　　　　　　　扉パネル
【図１】
2004124553.tif 000003
【図２】
2004124553.tif 000004
【図３】
2004124553.tif 000005
【図４】
2004124553.tif 000006
【図５】
2004124553.tif 000007
【図６】
2004124553.tif 000008
【図７】
2004124553.tif 000009